(57)【特許請求の範囲】
【請求項１】
コンテンツとスクリプトとを送信するコンテンツ情報提供サーバ装置と、一時的に表示すべき情報である割り込み情報を送信する割り込み情報提供サーバ装置と、前記コンテンツと前記スクリプトと前記割り込み情報とを受信し、前記コンテンツを表示するとともに前記スクリプトに基づいて前記割り込み情報を表示するクライアント装置とを備え、
前記コンテンツ情報提供サーバ装置は、
前記コンテンツを格納するコンテンツ格納部と、前記割り込み情報の前記クライアント装置における表示位置が記述されたスクリプトを格納するスクリプト格納部と、を有し、前記コンテンツ格納部に格納されたコンテンツは、前記クライアント装置に表示される操作ボタン情報を含み、前記スクリプト格納部に格納されたスクリプトは、前記割り込み情報の前記クライアント装置における表示位置を示す記述を含み、
前記クライアント装置は、
前記コンテンツ情報提供サーバ装置から受信した前記コンテンツを表示部に表示させる表示データ生成部と、前記表示部にコンテンツを表示させている場合に、前記割り込み情報提供サーバ装置から前記割り込み情報を受信したときには、前記コンテンツ情報提供サーバ装置から受信したスクリプトに記述された、前記操作ボタン情報の表示に前記割り込み情報の表示が重なる位置を示す前記割り込み情報の表示位置に従って、前記割り込み情報を前記表示部に表示させるクライアント装置制御部と、を有する、
割り込み表示システム。
【請求項２】
前記クライアント装置を複数含み、
前記コンテンツ情報提供サーバ装置のスクリプト格納部は、
前記割り込み情報の前記複数のクライアント装置のそれぞれにおける表示位置が記述されたスクリプトを格納し、
前記各クライアント装置のクライアント装置制御部は、
前記表示部にコンテンツを表示させている場合に、前記割り込み情報提供サーバ装置から前記割り込み情報を受信したときには、前記コンテンツ情報提供サーバ装置から受信したスクリプトに記述された自装置の前記割り込み情報の表示位置に従って、前記割り込み情報を前記表示部に表示させる、
請求項１記載の割り込み表示システム。
【請求項３】
前記割り込み情報提供サーバ装置を複数含み、
前記コンテンツ情報提供サーバ装置のスクリプト格納部は、
前記複数の割り込み情報提供サーバ装置がそれぞれ送信する前記割り込み情報の前記クライアント装置における表示位置が記述されたスクリプトを格納し、
前記クライアント装置のクライアント装置制御部は、
前記表示部にコンテンツを表示させている場合に、前記複数の割り込み情報提供サーバ装置のいずれかから前記割り込み情報を受信したときには、前記コンテンツ情報提供サーバ装置から受信したスクリプトに記述された前記割り込み情報の表示位置に従って、前記割り込み情報を前記表示部に表示させる、
請求項１記載の割り込み表示システム。
【請求項４】
コンテンツを表示するとともに、スクリプトと割り込み情報提供サーバ装置から一時的に表示すべき情報である割り込み情報を受信してスクリプトに基づいて表示するクライアント装置に接続し、前記コンテンツと前記スクリプトとを前記クライアント装置へ送信するコンテンツ情報提供サーバ装置であって、
前記コンテンツを格納するコンテンツ格納部と、
前記スクリプトを格納するスクリプト格納部とを備え、
前記コンテンツ格納部に格納されたコンテンツは前記クライアント装置に表示される操作ボタン情報を含み、
前記スクリプト格納部に格納されたスクリプトは、前記割り込み情報の前記クライアント装置における表示位置を示す記述を含み、
前記割り込み情報の表示位置を示す記述は、前記操作ボタン情報の表示に前記割り込み情報の表示が重なる位置を示す、
コンテンツ情報提供サーバ装置。
【請求項５】
複数の前記クライアント装置に接続され、
前記コンテンツ格納部に格納されたコンテンツは前記複数のクライアント装置のそれぞれに表示される操作ボタン情報を含み、
前記スクリプト格納部に格納されたスクリプトは、前記割り込み情報の前記複数のクライアント装置のそれぞれにおける表示位置を示す記述を含み、
前記割り込み情報の表示位置を示す記述は、前記複数のクライアント装置の少なくとも一つのクライアント装置における前記操作ボタン情報の表示と前記割り込み情報の表示とが重なる位置を示す、
請求項４記載のコンテンツ情報提供サーバ装置。
【請求項６】
複数の前記割り込み情報提供サーバ装置に接続され、
前記スクリプト格納部に格納されたスクリプトは、前記割り込み情報提供サーバ装置のそれぞれに対する前記割り込み情報の前記クライアント装置における表示位置を示す記述を含み、
前記割り込み情報提供サーバ装置のそれぞれに対する前記割り込み情報の表示位置を示す少なくとも一つの記述は、前記操作ボタン情報の表示に対して前記割り込み情報の表示が重なる位置を示す、
請求項４記載のコンテンツ情報提供サーバ装置。
【請求項７】
コンテンツ情報提供サーバ装置からコンテンツおよびスクリプトを受信し、割り込み情報提供サーバ装置から一時的に表示すべき情報である割り込み情報を受信し、前記コンテンツを表示するとともに前記スクリプトに基づいて前記割り込み情報を表示するクライアント装置であって、
前記コンテンツは、前記クライアント装置に表示される操作ボタン情報を含み、
前記スクリプトは、前記割り込み情報の前記クライアント装置における表示位置を示す記述を含み、
前記割り込み情報の表示位置を示す記述は、前記操作ボタン情報の表示に前記割り込み情報の表示が重なる位置を示し、
前記コンテンツ情報提供サーバ装置から受信した前記コンテンツを表示部に表示させる表示データ生成部と、
前記コンテンツ表示させている場合に、前記割り込み情報提供サーバ装置から前記割り込み情報を受信したときには、前記コンテンツ情報提供サーバ装置から受信したスクリプトに記述された、前記操作ボタン情報の表示に前記割り込み情報の表示が重なる位置を示す表示位置に従って、前記割り込み情報を表示させるクライアント装置制御部と、を有する、
クライアント装置。
【発明の詳細な説明】
【技術分野】
【０００１】
本発明はデジタルインターフェースを介して接続されたクライアント装置およびサーバ装置からなる信号伝送システムにおいて、特に、割り込み情報を表示する割り込み表示システムに関する。
【背景技術】
【０００２】
従来、ディスプレイでコンテンツを表示しているときに、コンテンツとは異なる情報を表示させる方法としてＯＳＤ（Ｏｎ−Ｓｃｒｅｅｎ  Ｄｉｓｐｌａｙ）の割り込み表示がある。
【０００３】
ＯＳＤを用いた割り込み表示の技術に関して、例えば、特許文献１に記載されているものが知られている。この技術では、タッチ操作の有効時にタッチ座標情報とＤＶＤメニューに付随するボタン位置情報を演算装置によって相対的な座標変換を行って、ボタン位置情報と合致（水平座標と垂直座標の開始点、終了点座標の範囲内であるか否かを判定する。そして、この技術では、合致している場合には、その選択ボタンの選択動作と確定動作（実行動作）を行なう。これにより、本来のメニュー表示画面内に位置する選択ボタンを隠すことなく指標表示を行うことができる。
【０００４】
また、従来技術として、車両に設置されたナビゲーション装置のタッチパネルを利用した操作方法に関して、走行中に操作を禁止させる走行強制機能が知られている。
【０００５】
走行強制機能の技術に関して、例えば、特許文献２に記載されているものが知られている。この技術では、走行中または停車中であることを示す判定信号にしたがって、画面に表示される描画要素の色を選択的に制御する。これにより、走行中に操作禁止となる入力キーを識別しやすくし、走行中の安全性を高めることができる。
【０００６】
また、車内に設置して利用されるディスプレイ等の表示手段とタッチパネル等の入力手段を備えたカーナビゲーションやカーＡＶ等が普及している。これらの一部では、設置の容易さを目的として表示手段を備えるクライアント装置と機能提供手段を備えるコンテンツ情報提供サーバ装置とが別体の形態をとるものがある。
【０００７】
このような、クライアント装置とコンテンツ情報提供サーバ装置とが別体の形態を採るシステムでは、コンテンツ情報提供サーバ装置から送信されたスクリプトをクライアント装置で実行してユーザインターフェースを実現する方法（リモートＵＩ）を利用することにより、クライアント装置からコンテンツ情報提供サーバ装置を操作することが可能になる。
【先行技術文献】
【特許文献】
【０００８】
【特許文献１】特開２００４−１３３４９９号公報
【特許文献２】特開平７−１９１６１２号公報
【発明の概要】
【発明が解決しようとする課題】
【０００９】
しかしながら、リモートＵＩが利用されるシステムでは、クライアント装置側ではメニュー表示画面の選択ボタン位置情報が知らされていない。このため、このシステムでは、上記特許文献１に記載された手法を利用しても、クライアント装置が、メニュー表示画面
内に位置する選択ボタンを隠すことなくＯＳＤの割り込み表示を行うことができない。
【００１０】
また、このシステムでは、リモートＵＩのシステムには含まれない外部の装置からクライアント装置に送信された割り込み情報をクライアント装置が受信して表示させる時に、メニュー画面の入力ボタンに対して操作を制限させることができない。
【００１１】
本発明の目的は、リモートＵＩが利用される環境においても、割り込み情報の表示とメニュー操作ボタンなどの表示とが重ならずに表示することができる割り込み表示システムを提供することである。
【００１２】
さらに、本発明の目的は、リモートＵＩが利用される環境においても、リモートＵＩのシステムには含まれない外部のサーバ装置から送られてきた割り込み情報を入力ボタンに重ねて表示させて、メニュー画面の入力ボタンに対して操作を制限させることができる割り込み表示システムを提供することである。
【課題を解決するための手段】
【００１３】
本発明の割り込み表示システムは、コンテンツとスクリプトとを送信するコンテンツ情報提供サーバ装置と、一時的に表示すべき情報である割り込み情報を送信する割り込み情報提供サーバ装置と、前記コンテンツと前記スクリプトと前記割り込み情報とを受信し、前記コンテンツを表示するとともに前記スクリプトに基づいて前記割り込み情報を表示するクライアント装置とを備え、前記コンテンツ情報提供サーバ装置は、前記コンテンツを格納するコンテンツ格納部と、前記割り込み情報の前記クライアント装置における表示位置が記述されたスクリプトを格納するスクリプト格納部と、を有し、前記コンテンツ格納部に格納されたコンテンツは、前記クライアント装置に表示される操作ボタン情報を含み、前記スクリプト格納部に格納されたスクリプトは、前記割り込み情報の前記クライアント装置における表示位置を示す記述を含み、前記クライアント装置は、前記コンテンツ情報提供サーバ装置から受信した前記コンテンツを表示部に表示させる表示データ生成手段と、前記表示部にコンテンツを表示させている場合に、前記割り込み情報提供サーバ装置から前記割り込み情報を受信したときには、前記コンテンツ情報提供サーバ装置から受信したスクリプトに記述された、前記操作ボタン情報の表示に前記割り込み情報の表示が重なる位置を示す前記割り込み情報の表示位置に従って、前記割り込み情報を前記表示部に表示させるクライアント装置制御部と、を有する構成を採る。
【発明の効果】
【００１４】
本発明によれば、コンテンツを送信するサーバ装置によって、割り込み情報の表示方法を決定できるため、外部のサーバ装置からの割り込み情報に対して、コンテンツごとに自由に表示方法を決めることができる。例えば、コンテンツ内のボタンを避けて割り込み情報を表示すること、複数の割り込み情報を受信した時に強調したい情報を自由に決めて表示すること、機能を制限するためにコンテンツ内の入力ボタンに重ねて割り込み情報を表示させることができる。
【図面の簡単な説明】
【００１５】
【図１】本発明の実施の形態１における割り込み表示システムのブロック図
【図２】本発明の実施の形態１における割り込み表示システムの動作を示すフローチャート
【図３】本発明の実施の形態１における割り込み情報の表示方法を説明するための図
【図４】本発明の実施の形態１において、コンテンツ情報提供サーバ装置から送信されるコンテンツの内容に変化が生じた場合における、割り込み情報の表示方法の変化を説明するための図
【図５】本発明の実施の形態１において、コンテンツ情報提供サーバ装置から送信されるコンテンツの内容に変化が生じた場合における動作を示すフローチャート
【図６】本発明の実施の形態１における割り込み情報の表示方法を説明するための図
【図７】本発明の実施の形態２における割り込み表示システムのブロック図
【図８】本発明の実施の形態２において、同じ割り込み情報を異なるクライアントに同時に表示させるときの処理を示した図
【図９】本発明の実施の形態２において、同じ割り込み情報を異なるクライアントに同時に表示させるときの処理を示した図
【図１０】本発明の実施の形態３における割り込み表示システムのブロック図
【図１１】本発明の実施の形態３において、異なる割り込み情報提供サーバ装置からの割り込み情報を受信したときの処理を示した図
【図１２】本発明の実施の形態３において、異なる割り込み情報提供サーバ装置からの割り込み情報を受信したときの処理を示した図
【発明を実施するための形態】
【００１６】
以下、本発明の実施の形態について、図面を参照して詳細に説明する。
【００１７】
（実施の形態１）
以下、本発明の実施形態１における割り込み表示システムについて図面を参照しながら説明する。
【００１８】
図１は本発明の実施形態１における割り込み表示システムのブロック図である。本発明の実施形態１の表示システム５０は、クライアント装置１０、コンテンツ情報提供サーバ装置２０、割り込み情報提供サーバ装置３０から構成される。コンテンツ情報提供サーバ装置２０はクライアント装置１０と伝送路で接続され、割り込み情報提供サーバ装置３０も同様にクライアント装置１０と伝送路で接続され、データの送受信を行う。
【００１９】
クライアント装置１０は、例えば、タッチパネルおよび表示画面を持つナビゲーション装置、リアディスプレイ装置である。コンテンツ情報提供サーバ装置２０は、例えば、表示画面を持たないナビゲーション装置、ＣＤプレーヤ装置、ＤＶＤプレーヤ装置、ＢＤプレーヤ装置、ＴＶチューナ、携帯電話である。割り込み情報提供サーバ装置３０は、例えば、車載サーバ、ＥＴＣ、携帯電話である。
【００２０】
クライアント装置１０、コンテンツ情報提供サーバ装置２０、割り込み情報提供サーバ装置３０はそれぞれ別体の形態をとる。これにより、車内での設置場所の自由度が高まることや、またいずれかの装置を車外へ持ち出すことを可能にするといった利点がある。
【００２１】
本実施の形態１の割り込み表示システム５０を構成する各装置は、それぞれの装置内部に以下に説明する構成を備えている。そして、割り込み表示システム５０を構成する各装置が連動して以下に説明する動作をすることにより割り込み表示を行う。
【００２２】
ユーザは、コンテンツ情報提供サーバ装置２０を動作させ、このコンテンツ情報提供サーバ装置２０が出力したコンテンツ情報をクライアント装置１０に処理させてコンテンツの内容を視聴する。この状態において、ユーザが意図しないタイミングで割り込みが発生すると、割り込み情報提供サーバ装置３０がこれを検出して割り込み情報をクライアント装置１０へ送信する。
【００２３】
クライアント装置１０は、割り込み情報提供サーバ装置３０から割り込み情報を受信すると、コンテンツ情報提供サーバ装置２０から送信された「既にクライアント装置１０に表示させている操作ボタンに重ならない位置」を含む割り込み情報の表示方法が記述されたスクリプトに基づいて、受信した割り込み情報を表示させる。これは、クライアント装置としてディスプレイが用いられ、コンテンツ情報提供サーバ装置としてＢＤプレーヤ装置が用いられ、割り込み情報提供サーバ装置として携帯電話が用いられた場合を例に挙げると次のようになる。
【００２４】
ユーザは、ＢＤをＢＤプレーヤ装置で再生し、ＢＤプレーヤ装置の機能を操作するための操作ボタンを含む再生データをディスプレイが受信し、これを映像や音声としてユーザへ出力する。この状態において、ユーザの意図しないタイミングで携帯電話に着信がある場合がある。
【００２５】
この場合、携帯電話の着信を知らせるメッセージをテキストデータの形でディスプレイに送信して、ディスプレイ上に割り込み表示させるときに、ディスプレイは「その時点のＢＤプレーヤ装置を操作するための操作ボタンの重ならないように表示位置が記述された」スクリプトをＢＤプレーヤ装置から受信し、このスクリプトに基づいてディスプレイに表示する画面のレイアウトを再構成し表示する。
【００２６】
ここで、「割り込み表示」とは、ユーザの意図しないタイミングで一時的にユーザに対して認識を促すための警告、アラート、メッセージなどを表示すること、あるいは表示する機能であり、緊急性が高い内容を一時的に表示すること、あるいは表示する機能である。また、「割り込み情報」とは、上述の割り込み表示に用いられる、一時的に表示すべき情報であって、割り込み表示の際に表示される画像あるいは文字列を構成する情報、データを指す。
【００２７】
「割り込みが発生」するとは、ユーザの操作とは無関係に、ユーザの意図しないタイミングでユーザに対して認識を促すための割り込み表示を行う必要が生じることを指し、例えば、割り込み情報提供サーバ装置３０が携帯電話である場合は着信・メール受信のタイミングなどが該当し、ＥＴＣ装置である場合はゲート通過などのタイミングが該当し、ＶＩＣＳ受信装置である場合は交通情報などを受信したタイミングが該当する。
【００２８】
「割り込みが検出される」あるいは「割り込みを検出する」とは、割り込みが発生した際に変化する信号を割り込み情報提供サーバ装置３０が検出することである。
【００２９】
割り込み情報の「表示方法」とは、割り込み情報をクライアント装置５０の表示部に表示する際の決め事であり、既に表示されているコンテンツの位置を避けて割り込み情報を表示するための、割り込み情報の、位置に関する情報（位置情報）や表示するタイミングに関する情報（タイミング情報）が少なくともこれに含まれる。
【００３０】
また、割り込み情報の表示方法として、割り込み情報の形状や色、さらには点滅させるなどの情報を加えてもよい。
【００３１】
以下に、本実施の形態１の割り込み表示システム５０を構成する各装置それぞれの内部構成について詳細を説明する。
【００３２】
クライアント装置１０は、クライアント装置制御部１１と、通信部ｂ１２と、通信部ｄ１３と、表示データ生成部１４と、表示部１５と、から主に構成される。クライアント装置１０は、コンテンツ情報提供サーバ装置２０及び割り込み情報提供サーバ装置３０から送信されたデータを受信して、表示するための機器である。
【００３３】
クライアント装置制御部１１は、例えばＣＰＵ、ＲＯＭ及びＲＡＭを含む。ＣＰＵは、ＲＯＭに格納されたコンピュータプログラムを、ＲＡＭを作業領域として使いながら実行する。
【００３４】
クライアント装置制御部１１は、通信部ｂ１２と通信部ｄ１３と表示データ生成部１４と表示部１５とに接続されており、それぞれとの間で通信を行う。クライアント装置制御部１１は、通信部ｂ１２と通信部ｄ１３とから受信したデータを、表示データ生成部１４
に送り出し、表示部１５で表示するための映像データを表示データ生成部１４に生成させる制御を行う。
【００３５】
通信部ｂ１２は、コンテンツ情報提供サーバ装置２０から送信されたスクリプトおよびコンテンツを受信して、表示データ生成部１４に送り出す。このスクリプトは、例えば、前記割り込み情報を表示する位置を決定するための仕組みを記述したものである。また、コンテンツは、例えば、映像データ、音声データ、画像データ、映像データを操作するためのボタンなどである。
【００３６】
通信部ｄ１３は、割り込み情報提供サーバ装置３０において、割り込み情報が検出された場合に、割り込み情報提供サーバ装置３０から割り込み情報を受信して、表示データ生成部１４に送り出す。
【００３７】
表示データ生成部１４は、通信部ｂ１２から送り出されたスクリプト及びコンテンツと、通信部ｄ１３から送り出された割り込み情報を受け取って、表示部１５で表示するための映像データを生成する。
【００３８】
表示部１５は、例えばディスプレイであり、表示データ生成部１４で生成された、コンテンツ、割り込み情報を含んだ映像データを受信して表示する。
【００３９】
割り込み情報は、例えば、メッセージなどである。コンテンツ情報提供サーバ装置２０で予め準備された前述のスクリプトに基づいて、表示部１５上の割り込み情報の表示位置及び表示部１５に割り込み情報が表示されるタイミングが決定される。
【００４０】
コンテンツ情報提供サーバ装置２０は、コンテンツ情報提供サーバ制御部２１と、コンテンツ格納部２２と、スクリプト格納部２３と、通信部ａ２４と、から主に構成される。コンテンツ情報提供サーバ装置２０は、クライアント装置１０内の表示部１５で表示するためのスクリプト、コンテンツを格納して、クライアント装置１０へ送信するための装置である。
【００４１】
コンテンツ情報提供サーバ制御部２１は、例えばＣＰＵ、ＲＯＭ及びＲＡＭを含む。ＣＰＵは、ＲＯＭに格納されたコンピュータプログラムを、ＲＡＭを作業領域として使いながら実行する。
【００４２】
コンテンツ情報提供サーバ制御部２１は、コンテンツ格納部２２とスクリプト格納部２３と通信部ａ２４とに接続されており、それぞれとの間で通信を行い、コンテンツ格納部２２に格納されたコンテンツとスクリプト格納部２３に格納されたスクリプトとを通信部ａ２４に送り出し、通信部ａ２４に送り出したコンテンツおよびスクリプトをクライアント装置１０に送信するための制御を行う。
【００４３】
コンテンツ格納部２２は、表示部１５で表示するためのコンテンツを格納し、通信部ａ２４に送り出すものであり、一般的なメモリ素子が用いられる。
【００４４】
スクリプト格納部２３は、表示データ生成部１４において割り込み表示方法の決定をするためのスクリプトを格納し、通信部ａ２４に送り出すものであり、コンテンツ格納部２２同様、一般的なメモリ素子が用いられる。コンテンツ格納部２２とスクリプト格納部２３は、一体のものが用いられてもよい。
【００４５】
通信部ａ２４は、コンテンツ格納部２２から送り出されたコンテンツと、スクリプト格納部２３から送り出されたスクリプトを受け取って、クライアント装置１０に送信する。
【００４６】
割り込み情報提供サーバ装置３０は、割り込み情報提供サーバ装置制御部３１と、割り込みを検出する割り込み検出部３２と、通信部ｃ３３を含んで構成され、割り込み検出部３２で割り込みが検出された場合に、割り込みを検出したことと割り込み情報とをクライアント装置１０に送信するための装置である。
【００４７】
割り込み情報提供サーバ装置３０が送信した割り込み情報に対しては、コンテンツ情報提供サーバ装置２０内のスクリプト格納部２３に格納されているスクリプトに、表示する位置およびタイミングが予め決定されて記述されている。
【００４８】
割り込み情報提供サーバ制御部３１は、例えばＣＰＵ、ＲＯＭ及びＲＡＭを含む。ＣＰＵは、ＲＯＭに格納されたコンピュータプログラムを、ＲＡＭを作業領域として使いながら実行する。
【００４９】
割り込み情報提供サーバ制御部３１は、割り込み検出部３２と通信部ｃ３３とに接続されて、それぞれと通信を行い、割り込み検出部３２で割り込み情報が検出された場合に、割り込み情報をクライアント装置１０に送信するための制御を行う。
【００５０】
割り込み検出部３２は、例えばメッセージなどの割り込み情報を受信して検出した時に、割り込み情報提供サーバ装置制御部３１に割り込み情報をテキストデータとして送り出すための部分であり、一般的な通信モジュールが使われる。
【００５１】
通信部ｃ３３は、割り込み検出部３２で割り込み情報が検出された際に、割り込み情報をクライアント装置通信部ｄ１３に送信する。
【００５２】
以上のように構成された割り込み表示システム５０において、その全体的な処理について、割り込み表示の処理を含めて以下に説明する。図２は本発明の実施の形態における割り込み表示システム５０の動作を示すフローチャートである。
【００５３】
割り込み表示システム５０を起動すると、コンテンツ情報提供サーバ装置２０は、内部に格納されたスクリプト、コンテンツを送信するタイミングになるまで待機する（ステップＳ２０１）。例えば、コンテンツ情報提供サーバ装置２０は、スクリプト格納部２３が割り込み表示の位置を指定したスクリプトを通信部ａ２４に送り出し、コンテンツ格納部２２が映像データ、映像データを操作するためのボタンなどのコンテンツを通信部ａ２４に送り出すタイミングになるまで待機する。
【００５４】
コンテンツ情報提供サーバ装置２０がスクリプト、コンテンツを送信するタイミングになった場合（ステップＳ２０１におけるＹｅｓ）、通信部ａ２４からクライアント装置１０にスクリプトおよびコンテンツが送信される。また、表示データ生成部１４において表示する映像データを生成するための処理が行われ、生成された映像データが表示部１５にて表示される（ステップＳ２０２）。
【００５５】
クライアント装置制御部１１は、ステップＳ２０２で表示部１５に映像データが表示された後、割り込み検出部３２によって割り込みが検出されるまで待機する（ステップＳ２０３）。
【００５６】
割り込み検出部３２において、割り込み情報が検出された場合には（ステップＳ２０３におけるＹｅｓ）、通信部ｃ３３によってクライアント装置１０に割り込み情報が送信され、通信部ｄ１３を経由して、表示データ生成部１４で割り込み情報を受け取る。
【００５７】
割り込み情報を受け取ると、表示データ生成部１４において、コンテンツ情報提供サーバ装置２０で予め準備された、割り込み情報の表示方法を指定したスクリプトに従って処理が行われ、割り込み情報を表示した映像データを再び生成して、表示部１５に送り出し、表示部１５において更新された映像データが表示部１５に再表示される（ステップＳ２０４）。
【００５８】
割り込み情報が表示された状態（ステップＳ２０５）において、割り込み表示を終了させる条件（例えば、割り込み情報内に表示された割り込み情報の消去ボタンを押す、予め決められた割り込み情報の表示時間が経過する）が満たされたタイミング（ステップＳ２０５におけるＹｅｓ）になると、表示データ生成部１４において、割り込み情報の無い状態での映像データを再び生成する。また、表示部１５において、更新された映像データの再表示を行う（ステップＳ２０６）。クライアント装置制御部１１は、再度割り込み検出部３２において割り込み情報が検出されるまで待機する。
【００５９】
以下に割り込み情報をクライアント装置１０の表示部１５に表示する時の割り込み表示システム５０の処理動作（１）について図３を参照しながら説明する。
【００６０】
まず、割り込み表示が検出されていない状態でのクライアント装置１０の表示部１５に表示される表示画面１００においては、コンテンツ情報提供サーバ装置２０から送信されたコンテンツ１０１（例えば、映像データ、ボタンａ１０２、ボタンｂ１０３、ボタンｃ１０４の配置に関するデータなどを含む）とスクリプト１１０（例えば割り込み表示位置座標１０５、などを記述している）を基にして、コンテンツ情報提供サーバ装置２０内の表示データ生成部１４で生成された映像データが表示される。
【００６１】
スクリプト１１０は、クライアント装置１０で表示されるコンテンツ１０１において、割り込み位置の座標１０５、割り込み表示領域のサイズを決定するための記述を含んでいる。
【００６２】
割り込み情報の表示方法を指定したスクリプト１１０を、コンテンツ情報提供サーバ装置２０の中で予め準備することにより、コンテンツ情報提供サーバ装置２０側で割り込み情報の表示方法（例えば、位置、タイミングを含む）を決めることが可能となる。
【００６３】
このことにより、割り込み情報の表示において、クライアント装置で表示するコンテンツ１０１内に表示されたボタンａ１０２、ボタンｂ１０３、ボタンｃ１０４の位置を考慮に入れた上で、各々のボタンと重ならないような割り込み情報の表示位置をコンテンツ情報提供サーバ装置２０によって決定することができる。
【００６４】
ここで、次にスクリプト１１０の記述内容についての説明を行う。割り込み情報の表示に関するスクリプト１１０の記述内容は次のように決定される。例えば、図３に示すような、コンテンツのボタンａ１０２〜ボタンｃ１０４が表示画面１００の正面視左側に縦に並んでいるとする。
【００６５】
この場合、ボタンａ１０２〜ボタンｃ１０４について、それらの位置情報（例えば座標で表現される）および大きさの情報があらかじめ決められているため、表示画面上における、割り込み情報を表示してもボタンａ１０２〜ボタンｃ１０４を操作する際に邪魔にならない（ボタンに重ならない）空き領域があらかじめわかっている。
【００６６】
したがって、この空き領域における任意の１点および割り込み情報の大きさを決定することができる。例えば図３に示すような表示画面に対するスクリプト１１０については、以下のとおりである。
【００６７】
スクリプト１１０には、割り込みが検出された場合（スクリプト１１０の１行目のｉｆ文の条件が満たされた場合）の、割り込み情報の表示位置の左上座標を（５０，２０）に決定して（スクリプト１１０の２行目）、割り込み情報のサイズを（４０，２０）に決定して（スクリプト１１０の３行目）、スクリプト１１０の１〜３行目において設定された割り込み情報を表示部１５に表示させる（スクリプト１１０の４行目）処理のための記述が含まれる。
【００６８】
割り込みが検出されて、割り込み情報提供サーバ装置３０からクライアント装置１０に割り込み情報が送信された場合には、スクリプト１１０に従って表示データ生成部１４において処理が行われ、割り込み情報表示１２２を含んだ映像データが再構成されて、表示画面１２０として表示部１５に表示される。
【００６９】
次に、以上のように説明される割り込み表示システム５０について、コンテンツ情報提供サーバ装置２０が送信するコンテンツ内容に変化が生じた場合の動作について説明する。
【００７０】
図４は、前記コンテンツに変化が生じたことによって、映像データを操作するためのボタンと割り込み表示領域が重なった時における動作を示した図面である。
【００７１】
割り込み表示システム５０が動作し、割り込み情報の初回表示時、クライアント装置１０に表示される画面３００において、コンテンツ３０１内のボタン３０２と割り込み表示領域３０３は、重ならないように表示される。
【００７２】
これは、スクリプト３３０内のソースコード３３１に従って処理を行うことにより、ボタン３０２と割り込み表示領域３０３の重複表示が回避される。
【００７３】
次に、初回のコンテンツ３０１を表示した後に、コンテンツ内容が変化して、新たにボタン３１２を含むコンテンツ３１１が表示される場合、ボタン３１２と割り込み表示領域３１３が重なった状態で割り込み情報の表示がされると、ボタン３１２の表示が見えなくなり前記ボタンを利用した操作が不可能になってしまう。
【００７４】
このような事態に対応するために、割り込み表示領域３１３の位置を変更するための処理を予めスクリプト３３０内のソースコード３３２に記述しておくことにより、ボタン３１２と割り込み表示領域３１３の重複を回避することができる。
【００７５】
ソースコード３３２には、割り込み表示がボタンと重なった場合は割り込み情報の左上座標を変更する処理を表示データ生成部１４に実行させる内容が記述されている。
【００７６】
ソースコード３３２実行後の、クライアント装置１０に表示される画面３２０においては、ボタン３２２と割り込み表示領域３２３が重ならないように表示される。
【００７７】
以上で説明したように、割り込み方法を指定するスクリプト３３０の中に、割り込み表示領域を変更するための処理をソースコード３３２に記述しておくことにより、コンテンツ内のボタンと割り込み表示領域が重なることを回避できるようになる。
【００７８】
以上のように割り込み情報の表示位置の変更が行われるように動作する割り込み表示システム５０について、以下に割り込み情報の検出時以降のコンテンツ情報提供サーバ装置２０の動作を図５のフローチャートを参照して説明する。図５のフローチャートは割り込み情報の検出時を開始として、記述されている。
【００７９】
コンテンツ情報提供サーバ装置２０を起動すると、クライアント装置１０からのリクエストに応じて、コンテンツ、スクリプトがコンテンツ情報提供サーバ装置２０から送信され（ステップＳ４００）、その後は、コンテンツ情報提供サーバ装置２０はコンテンツ、クライアント装置１０からスクリプトを変更するためのリクエストが送信されるまで待機する（ステップＳ４０１）。
【００８０】
コンテンツ、スクリプトを変更するためのリクエストをコンテンツ情報提供サーバ装置が受信した場合（ステップＳ４０１におけるＹｅｓ）は、コンテンツ情報提供サーバ装置２０において、スクリプトによって記述されたボタンの位置を取得する（ステップＳ４０２）。
【００８１】
コンテンツ情報提供サーバ装置２０において、スクリプトで記述されたボタンの表示位置が割り込み表示の位置と重なっている場合（ステップＳ４０４におけるＹｅｓ）には、割り込み情報の表示位置が変更される（ステップＳ４０５）。
【００８２】
割り込み表示システム５０が以上で説明された構成を有して、処理を行うことにより、コンテンツを提供するサーバ側で、割り込み情報表示の位置、タイミングなどを決定することが可能になる。
【００８３】
次に、割り込み情報をクライアント装置１０の表示部１５に表示する時の割り込み表示システム５０の処理動作（２）について図６を参照しながら説明する。
【００８４】
まず、割り込み表示が検出されていない状態でのクライアント装置１０の表示部１５に表示される表示画面１００においては、コンテンツ情報提供サーバ装置２０から送信されたコンテンツ１０１（例えば、映像データ、ボタンａ１０２、ボタンｂ１０３の配置に関するデータなどを含む）とスクリプト１１０（例えば割り込み表示位置座標１０４、などを記述している）を基にして、コンテンツ情報提供サーバ装置２０内の表示データ生成部１４で生成された映像データが表示される。
【００８５】
スクリプト１１０は、クライアント装置１０で表示されるコンテンツ１０１において、割り込み位置の座標１０４、割り込み表示領域のサイズを決定するための記述を含んでいる。
【００８６】
割り込み情報の表示方法を指定したスクリプト１１０を、コンテンツ情報提供サーバ装置２０の中で予め準備することにより、コンテンツ情報提供サーバ装置２０側で割り込み情報の表示方法（例えば、位置、タイミングを含む）を決めることが可能となる。
【００８７】
このことにより、割り込み情報の表示において、クライアント装置で表示するコンテンツ１０１内に表示されたボタンａ１０２、ボタンｂ１０３の位置を考慮に入れた上で、各々のボタンの操作を制限するために、ボタンと重なるような割り込み情報の表示位置、表示の大きさをコンテンツ情報提供サーバ装置２０によって決定することができる。
【００８８】
ここで、次にスクリプト１１０の記述内容についての説明を行う。割り込み情報の表示に関するスクリプト１１０の記述内容は次のように決定される。例えば、図６に示すような、コンテンツのボタンａ１０２、ボタンｂ１０３が表示画面１００の正面視左側に縦に並んでいるとする。
【００８９】
この場合、ボタンａ１０２、ボタンｂ１０３について、それらの位置情報（例えば座標で表現される）および大きさの情報があらかじめ決められているため、ボタンａ１０２及
びボタンｂ１０３の操作を制限するために、割り込み情報を重ねて表示させる領域があらかじめ分かっている。
【００９０】
したがって、割り込み情報を表示させる１点および割り込み情報の大きさを決定することができる。例えば図６に示すような表示画面に対するスクリプト１１０については、以下のとおりである。
【００９１】
スクリプト１１０には、割り込みが検出された場合（スクリプト１１０の１行目のif文の条件が満たされた場合）の、割り込み情報の表示位置の左上座標を（１０，１０）に決定して（スクリプト１１０の２行目）、割り込み情報のサイズを（４０，８０）に決定して（スクリプト１１０の３行目）、スクリプト１１０の１〜３行目において設定された割り込み情報を表示部１５に表示させる（スクリプト１１０の４行目）処理のための記述が含まれる。
【００９２】
割り込みが検出されて、割り込み情報提供サーバ装置３０からクライアント装置１０に割り込み情報が送信された場合には、スクリプト１１０に従って表示データ生成部１４において処理が行われ、割り込み情報表示１２２を含んだ映像データが再構成されて、表示画面１２０として表示部１５に表示される。
【００９３】
スクリプト１１０において、割り込み情報表示１２２の表示位置、大きさを指定することによって、コンテンツ１０１内のボタンａ１０２、ボタンｂ１０３の操作を制限するために、割り込み情報１２２をボタンａ１０２、ボタンｂ１０３に重ねて表示することが可能となる。
【００９４】
なお、本実施の形態にて説明される割り込み表示システム５０において、割り込み情報提供サーバ装置３０に含まれる割り込み情報提供サーバ装置制御部３１、割り込み検出部３２、通信部ｃ３３の各機能を、クライアント装置１０の中に含まれていることも許容される。クライアント装置１０の内部に、前記機能を有することにより、クライアント装置１０が割り込み情報を発生させる場合においても、コンテンツ情報提供サーバ装置２０によって割り込み情報の表示方法を決めることが可能になる。
【００９５】
また、本実施の形態にて説明される割り込み表示システム５０において、割り込み情報を送信する経路として、通信部ｃ３３からコンテンツ情報提供サーバ装置２０へ割り込み情報が送信されて、次に通信部ａ２４を経由して、クライアント装置１０に送信することも許容される。
【００９６】
さらに、割り込み情報提供サーバ装置３０から送信される割り込み情報として、テキストデータだけではなく、パルスデータ、画像データ、音声データ、映像データとすることも許容される。
【００９７】
また、割り込み情報提供サーバ装置３０から送信される割り込み情報として、スクリプトで記述したソースコードを割り込み情報提供サーバ装置３０からクライアント装置１０に送信して、クライアント装置１０でスクリプトを解釈する処理（例えば、プルダウンメニューを伴う割り込み情報の表示、ボタンを伴う割り込み情報の表示など）を行っても良い。
【００９８】
割り込み情報としてスクリプトを割り込み情報提供サーバ装置３０から送信することにより、例えば、割り込み情報提供サーバ装置３０から複数の割り込み情報を送信し、スクリプトによって記述されたプルダウンメニューによって表示させる割り込み情報を選択する、といった操作が可能になる。
【００９９】
そして、割り込みが検出されて、割り込み情報表示が表示部１５で表示される時には、コンテンツ情報提供サーバ装置２０から送信されたコンテンツデータが映像データであった場合においては、一時停止しても良い。コンテンツデータの表示を一時停止することにより、割り込み情報表示中にコンテンツデータが再生されてしまい、割り込み情報表示中にコンテンツデータの視聴が不可能となる状況を避けることが可能になる。
【０１００】
本実施の形態では割り込み情報が表示されて、割り込み情報の表示を終了した後は、割り込み情報を表示する前の表示画面に戻ることを想定していたが、元の表示画面に戻らない機能を有することも許容される。例えば、元の表示画面に戻らないようにすることによって、割り込み表示を全画面表示にした後で、割り込み情報を小さく表示させた状態のまま割り込み情報の表示を残すことが可能になる。
【０１０１】
また、コンテンツデータ内の入力ボタンに重ねて表示させる割り込み情報について、入力ボタンに重ねるような表示を想定していたが、半透明にするなどして入力ボタンが認識できるような割り込み表示をすることも許容される。このことにより、割り込み情報が表示されていて且つ入力ボタンの操作が禁止されていても、ユーザは入力ボタンの存在を認識することが可能となる。
【０１０２】
また、本実施の形態では、コンテンツデータ内の全ての入力ボタンに重なるようにして割り込み情報を表示させることを想定していたが、一部の入力ボタンのみに重ねて割り込み情報を表示させることも許容される。このことにより、割り込み情報に応じて、操作を禁止させる入力ボタンを柔軟に変更させることが可能になる。
【０１０３】
また、本実施の形態では、コンテンツデータ内の入力ボタンに重なるようにして割り込み情報を表示させて入力ボタンの操作を制限させることを想定していたが、割り込み情報をクライアント装置が受信した時に、入力ボタンの色又は形又は大きさを変更することによって、入力ボタンの操作が制限されていることを示しても良い。このことにより、様々な方法を用いて、入力ボタンの操作が制限されていることを示すことが可能になる。
【０１０４】
（実施の形態２）
以下、本発明の実施形態２における割り込み表示システムについて図面を参照しながら説明する。
【０１０５】
図７は本発明の実施形態２における割り込み表示システムのブロック図である。本発明の実施形態２の割り込み表示システム５００は、クライアント装置ａ５１０、クライアント装置ｂ５２０、コンテンツ情報提供サーバ装置５３０、割り込み情報提供サーバ装置５４０から構成される。
【０１０６】
実施形態１と実施形態２の相違点は、割り込み表示システムにおいて、コンテンツ情報提供サーバ装置５３０及び割り込み情報提供サーバ装置５４０と互いに伝送路で接続されてデータの送受信を行うクライアント装置ａ５１０を有していることである。さらに、実施形態１と実施形態２の相違点は、コンテンツ情報提供サーバ装置５３０及び割り込み情報提供サーバ装置５４０と互いに伝送路で接続されてデータの送受信を行うクライアント装置ｂ５２０が加えられていることである。
【０１０７】
実施形態１との相違点として更に、スクリプト格納部５３１に格納されている割り込み表示方法を記述したスクリプトにおいて、表示部ａ５１１及び表示部ｂ５２１に対して、異なる表示方法（例えば、表示させる割り込み情報のサイズを異なるものとする、表示時間を異なるものにするなど）での割り込み情報表示を行うための処理の記述が追加されて
いる。
【０１０８】
以下に図７に示される割り込み表示システム５００における処理動作（１）について、図８を参照しながら説明する。
【０１０９】
以下の説明では、一例として、クライアント装置ａ５１０で表示させる割り込み情報とクライアント装置ｂ５２０で表示させる割り込み情報のサイズを異なるものとする処理について説明する。
【０１１０】
スクリプト格納部５３１に格納されたスクリプト９００には、表示部ａ５１１及び表示部ｂ５２１に対して、異なる割り込み情報表示を行うための処理が記述されている。ソースコード９０１には、クライアント装置ａ５１０の表示部ａ５１１において割り込み表示を行うための処理が記述されている。
【０１１１】
ソースコード９０２には、クライアント装置ｂ５２０の表示部ｂ５２１において割り込み表示を行うための処理が記述されている。ソースコード９０１の４行目とソースコード９０２の４行目において、割り込み表示について異なるサイズを指定することにより、クライアント装置ａの表示画面９１０で表示される割り込み表示領域９１２と、クライアント装置ｂ５２０の表示画面９２０で表示される割り込み表示領域９２２を異なるサイズにすることが可能となる。
【０１１２】
以上で説明されるように、実施形態２によれば、コンテンツ情報提供サーバ装置５３０の内部のスクリプト格納部５３１に格納されたスクリプト９００の記述において、クライアント装置ａ５１０及びクライアント装置ｂ５２０で表示される割り込み表示方法を異なるものとする処理を備えることにより、クライアント装置に応じた適切な表示方法で割り込み表示を行うことができる。
【０１１３】
尚、以上で説明されるクライアント装置ごとに異なる表示方法をさせる処理として、各々のクライアント装置に対しての表示サイズを異なるものとしていたが、表示の可否をクライアント装置ごとに定めたり、表示時間の長さを異なるものとしたり、表示タイミングを異なるものにしたり、表示内容を異なるもの（例えば、片方のクライアント装置には映像を表示させて、もう片方のクライアント装置には音声を出すのみにするなど）とすることも許容される。
【０１１４】
次に、図７に示される割り込み表示システム５００における処理動作（２）について、図９を参照しながら説明する。
【０１１５】
以下の説明では、一例として、クライアント装置ａ５１０で表示させる割り込み情報とクライアント装置ｂ５２０で表示させる割り込み情報の表示位置を異なるものとする処理について説明する。
【０１１６】
スクリプト格納部５３１に格納されたスクリプト９００には、表示部ａ５１１及び表示部ｂ５２１に対して、異なる割り込み情報表示を行うための処理が記述されている。
ソースコード９０１には、クライアント装置ａ５１０の表示部ａ５１１において割り込み表示を行うための処理が記述されている。
【０１１７】
ソースコード９０２には、クライアント装置ｂ５２０の表示部ｂ５２１において割り込み表示を行うための処理が記述されている。クライアント装置ａ５１０では、ソースコード９０１の４行目の処理によって、割り込み情報を入力ボタンと重ねて表示させて、入力ボタンの操作を制限させることが可能となる。その一方で、クライアント装置ｂ５２０で
は、ソースコード９０２の４行目の処理によって、入力ボタンａ９２３及び入力ボタンｂ９２４と重ならないように割り込み情報を表示させて、入力ボタンの操作を可能な状態に保つことが可能となる。
【０１１８】
このように、ソースコード９０１の２行目とソースコード９０２の２行目の処理において、各々のクライアント装置に対して異なる位置で割り込み情報を表示させることによって、クライアント装置毎に入力ボタンの操作の制限の有無を分けることが可能となる。
【０１１９】
なお、以上で説明されるクライアント装置ごとに異なる表示方法をさせる処理として、各々のクライアント装置に対しての表示位置を異なるものとしていたが、表示の可否をクライアント装置ごとに定めることも許容される。このことにより、クライアント装置ごとに割り込み情報の表示の有無を分けることが可能となる。
【０１２０】
また、入力ボタンの認識が可能な形（例えば、半透明にするなど）での表示の有無をクライアント装置ごとに分けることも許容される。また、クライアント装置ごとに割り込み情報を重ねて表示させる入力ボタンの数をクライアント装置ごとに分けることも許容される。
【０１２１】
（実施の形態３）
以下、本発明の実施形態３における割り込み表示システムについて図面を参照しながら説明する。
【０１２２】
図１０は本発明の実施形態３における割り込み表示システムのブロック図である。本発明の実施形態３の割り込み表示システム６００は、クライアント装置６１０、コンテンツ情報提供サーバ装置６２０、割り込み情報提供サーバ装置６３０、割り込み情報提供サーバ装置ｃ６４０から構成される。
【０１２３】
実施形態１と実施形態３の相違点は、割り込み表示システムにおいて、割り込みを検出してクライアント装置６１０と互いに伝送路で接続されてデータの送受信を行う割り込み情報提供サーバ装置６３０を有していることに加えて、同様に割り込みを検出してクライアント装置６１０と互いに伝送路で接続されてデータの送受信を行う割り込み情報提供サーバ装置ｃ６４０を有していることである。
【０１２４】
実施形態１との相違点として更に、スクリプト格納部６２１に格納されている割り込み表示方法を記述したスクリプトにおいて、割り込み情報提供サーバ装置６３０及び割り込み情報提供サーバ装置ｃ６４０から送信された割り込み情報に対して、異なる表示方法での割り込み情報表示を行うための処理の記述が追加されている。
【０１２５】
以下に図１０で示される割り込み表示システム６００における処理動作（１）について、図１１を参照しながら説明する。
【０１２６】
スクリプト格納部６２１に格納されたスクリプト１０００には、割り込み情報提供サーバ装置６３０及び割り込み情報提供サーバ装置ｃ６４０から送信された割り込み情報に対して、異なる割り込み情報表示を行うための処理が記述されている。ソースコード１００１には、割り込み情報提供サーバ装置６３０から送信された割り込み情報に対しての表示方法を指定するための処理が記述されている。
【０１２７】
ソースコード１００２には、割り込み情報提供サーバ装置ｃ６４０から送信された割り込み情報に対しての表示方法を指定するための処理が記述されている。
【０１２８】
ソースコード１００１の３行目とソースコード１００２の３行目において、割り込み表示について異なるサイズを指定することにより、割り込み情報提供サーバ装置６３０からの割り込み情報を受信した時に表示させる領域を指定した割り込み表示領域ｂ１０１２と、割り込み情報提供サーバ装置６４０からの割り込み情報を受信した時に表示させる領域を指定した割り込み表示領域ｃ１０２２を異なるサイズにすることが可能となる。
【０１２９】
次に、図１０で示される割り込み表示システム６００における処理動作（２）について、図１２を参照しながら説明する。
【０１３０】
スクリプト格納部６２１に格納されたスクリプト１０００には、割り込み情報提供サーバ装置ｂ６３０及び割り込み情報提供サーバ装置ｃ６４０から送信された割り込み情報に対して、異なる割り込み情報表示を行うための処理が記述されている。ソースコード１００１には、割り込み情報提供サーバ装置ｂ６３０から送信された割り込み情報に対しての表示方法を指定するための処理が記述されている。
【０１３１】
ソースコード１００２には、割り込み情報提供サーバ装置ｃ６４０から送信された割り込み情報に対しての表示方法を指定するための処理が記述されている。
【０１３２】
ソースコード１００１の２行目とソースコード１００２の２行目において、各々の割り込み情報表示について異なる位置を指定することにより、割り込み情報提供サーバ装置６３０からの割り込み情報を受信した時に表示させる割り込み情報ｂ１０１２と、割り込み情報提供サーバ装置６４０からの割り込み情報を受信した時に表示させる割り込み情報ｃ１０２２を異なる位置に表示させることが可能となる。割り込み情報の表示位置を入力ボタンと重ねるように表示させるか、又は入力ボタンを避けて表示させるかを各々の割り込み情報に対して別々に指定することによって、各々の割り込み情報に対して入力ボタンの操作の制限の有無を分けることが可能となる。
【０１３３】
以上で説明されるように、実施形態３によれば、コンテンツ情報提供サーバ装置６２０の内部のスクリプト格納部６２１に格納されたスクリプト１０００の記述において、割り込み情報提供サーバ装置６３０及び割り込み情報提供サーバ装置ｃ６４０から送信された割り込み情報に対して、異なる割り込み情報表示を行うための処理を備えることにより、クライアント装置６１０が受信した割り込み情報に応じた表示方法で割り込み表示を行うことができる。
【０１３４】
なお、実施形態３において、スクリプト１０００の中に、割り込み情報の種類（例えば、テキストデータ、画像データ、映像データなど）に応じて、それぞれ異なる割り込み情報表示方法を記述することにより、割り込み情報の種類に応じた表示方法（例えば、割り込み情報を半透明で表示して入力ボタンを認識の可否を分けて表示する、又は割り込み情報を重ねて表示させることで操作禁止となる入力ボタンの数を割り込み情報に応じて異なるようにするなど）で割り込み表示を行うことも許容される。
【０１３５】
また、各種割り込み情報に対して、割り込みのレベルを指定することにより、クライアント装置６１０において、重要な割り込み情報のみ表示させるといった処理が可能になる。
【０１３６】
この一例として、割り込み情報提供サーバ装置６３０から送信される割り込み情報をレベル５と指定して、割り込み情報提供サーバ装置ｃ６４０から送信される割り込み情報をレベル１と指定して、クライアント装置６１０で表示させる割り込み情報についてレベル３以上の割り込み情報のみを表示すると指定することにより、割り込み情報提供サーバ装置６３０から送信される割り込み情報のみをクライアント装置６１０で表示させるという
処理をスクリプト１０００で行うことも許容される。
【０１３７】
２０１０年３月２５日出願の特願２０１０−０６９６３６および２０１０年６月１日出願の特願２０１０−１２５６００の日本出願に含まれる明細書、図面および要約書の開示内容は、すべて本願に援用される。
【産業上の利用可能性】
【０１３８】
以上のように本発明に係る割り込み表示システムは、サーバ装置から送信されたコンテンツをクライアント装置で表示して、コンテンツ以外の割り込み情報を表示させるシステムに好適である。
【符号の説明】
【０１３９】
１０  クライアント装置
１１  クライアント装置制御部
１２  通信部ｂ
１３  通信部ｄ
１４  表示データ生成部
１５  表示部
２０  コンテンツ情報提供サーバ装置
２１  コンテンツ情報提供サーバ装置制御部
２２  コンテンツ格納部
２３  スクリプト格納部
２４  通信部ａ
３０  割り込み情報提供サーバ装置
３１  割り込み情報提供サーバ装置制御部
３２  割り込み検出部
３３  通信部ｃ
５０  割り込み表示システム
【図１】
0005591237.tif 000002
【図２】
0005591237.tif 000003
【図３】
0005591237.tif 000004
【図４】
0005591237.tif 000005
【図５】
0005591237.tif 000006
【図６】
0005591237.tif 000007
【図７】
0005591237.tif 000008
【図８】
0005591237.tif 000009
【図９】
0005591237.tif 000010
【図１０】
0005591237.tif 000011
【図１１】
0005591237.tif 000012
【図１２】
0005591237.tif 000013